(57)【要約】【課題】単純な構造で構成されカウンター面の水を簡単に排水できる浴室の窓カウンターを提供すること。【解決手段】鉢に植えた花や観葉植物を置くことのできる窓カウンター２０のカウンター面２３を、前端縁部２４から後部２５にかけて下り傾斜になった傾斜面に形成した。そして、後部２５から前端縁部２４の落下口２９にかけて、下り傾斜になった排水溝２７を設けた。また、窓カウンター２０が設けられた壁面部１１に隣接させて浴槽３０を設け、浴槽３０の上面３２に排水路３５を設けるとともに、落下口２９を排水路３５の上方に位置させた。そして、排水路３５の落下口３６を、床面１２の上方に位置させ、排水路３５に流れた水が床面３５を介して排水口３８に流れて行くようにした。【選択図】  図１
2004156323.tif 000002
【特許請求の範囲】
【請求項１】
洗い場に排水口が設けられた浴室の壁面に設けられる浴室の窓カウンターであって、前記カウンター面における浴室の内部側縁部の高さを窓側部分の高さよりも高くするとともに、前記窓側部分から前記内部側縁部の所定部分にかけて、下り傾斜になった排水溝を設けたことを特徴とする浴室の窓カウンター。
【請求項２】
前記カウンター面を、内部側縁部から窓側縁部にかけて下り傾斜になった傾斜面に形成することにより、前記内部側縁部の高さを前記窓側部分の高さよりも高くした請求項１に記載の浴室の窓カウンター。
【請求項３】
前記窓カウンターが設けられた壁面に隣接させて浴槽を設け、前記浴槽の周縁部上面に、前記洗い場側に水を流すための排水路を設けるとともに、前記排水路上に前記排水溝から流れてきた水が落下するように構成した請求項１または２に記載の浴室の窓カウンター。
【請求項４】
前記排水路の前記排水溝から流れてきた水が落下する部分に浴槽の巻き蓋を巻いた状態で載置できるように構成した請求項３に記載の浴室の窓カウンター。
【請求項５】
前記排水溝の下流端を、前記洗い場の上方に位置させ、前記排水溝に流れた水が前記洗い場の排水口に流れて行くようにした請求項１または２に記載の浴室の窓カウンター。
【発明の詳細な説明】
【０００１】
【発明の属する技術分野】
本発明は、浴室の壁面に設けられる浴室の窓カウンターに関する。
【０００２】
【従来の技術】
従来から、浴室は、単に体を洗うだけでなく、疲労回復や精神的なリフレッシュの場としても利用されている。このため、壁面に、窓とカウンター面を備えた出窓等の窓カウンターを設けて、窓から外の景色を眺めながら入浴したり、カウンター面に、花や観葉植物、その他入浴者の好みに応じた様々なものを置くことのできる浴室の窓カウンターが開発されている（例えば、特許文献１）。
【０００３】
このような窓カウンターのカウンター面には、花や観葉植物に散水したときに鉢の土が水とともに流れ出たり、窓や窓枠等に結露して流れた水滴等が溜まったり、更には汚れた水が不用意に浴槽内に流れ込んでしまうことがある。このため、前述した窓カウンターでは、カウンター面に排水口を設けるとともに、この排水口に、先端部が排水トラップに連通する排水管を接続して、カウンター面に溜まる水を、排水管を介して排水トラップに排水するようにしている。
【０００４】
【特許文献１】
特開平９−１１２０５４号公報
【０００５】
【発明が解決しようとする課題】
しかしながら、前述した従来の浴室の窓カウンターでは、カウンター面に設けられた排水口と排水トラップとの間を、排水管を用いて接続しているため、窓カウンターの構造が複雑になるとともに、使用する部材も多くなるという問題がある。また、窓カウンターを設置する際の施工作業も面倒になるという問題がある。さらに、排水管に物が詰まった場合等には、その詰まった物を除去する作業も面倒になるという問題がある。
【０００６】
【発明の概要】
本発明は、上記問題に対処するためになされたもので、その目的は、単純な構造で構成されカウンター面の水を簡単に排水できる浴室の窓カウンターを提供することである。
【０００７】
上記の目的を達成するため、本発明にかかる浴室の窓カウンターの特徴は、洗い場に排水口が設けられた浴室の壁面に設けられる浴室の窓カウンターであって、カウンター面における浴室の内部側縁部の高さを窓側部分の高さよりも高くするとともに、窓側部分から内部側縁部の所定部分にかけて、下り傾斜になった排水溝を設けたことにある。
【０００８】
前記のように構成した本発明の浴室の窓カウンターによれば、カウンター面における浴室の内部側縁部の高さが窓側部分の高さよりも高くなっているため、カウンター面に落下したり、流れてきたりする水は、まず、カウンター面の前側（浴室の内部側）から下方に流れ落ちることなく窓側部分に流れて行く。そして、カウンター面の窓側部分から内部側縁部の所定部分にかけて、下り傾斜になった排水溝が設けられているため、カウンター面の窓側部分に流れた水は、この排水溝に沿って、カウンター面の内部側縁部の所定部分から下方に落ちる。
【０００９】
このように、カウンター面の水は、排水溝を通ってカウンター面の下方に落ちるため、カウンター面に水が溜まってしまうといったことを防止することができる。また、カウンター面の水は、常に一定の部分から落ちるため、内部側縁部の所定部分は、水が流れ落ちても支障のない部分の上方に設定しておく。
【００１０】
また、本発明にかかる浴室の窓カウンターの他の構成上の特徴は、カウンター面を、内部側縁部から窓側縁部にかけて下り傾斜になった傾斜面に形成することにより、前記内部側縁部の高さを前記窓側部分の高さよりも高くしたことにある。これによると、カウンター面に流れたり落下してきたりした水は、スムーズに窓側部分に流れたのちに、排水溝に沿って、カウンター面の内部側縁部の所定部分から下方に落ちる。この結果、より効果的な排水ができる。
【００１１】
また、本発明にかかる浴室の窓カウンターのさらに他の構成上の特徴は、窓カウンターが設けられた壁面に隣接させて浴槽を設け、浴槽の周縁部上面に、洗い場側に水を流すための排水路を設けるとともに、この排水路上に排水溝から流れてきた水が落下するように構成したことにある。これによると、窓カウンターの水は、排水溝から落ちたのちに、浴槽の排水路に落下し、排水路を通って排水される。この結果、窓カウンターを浴槽のすぐ近くに設けても、窓カウンターの水が浴槽内に入って湯を汚すといったことが生じなくなる。また、浴槽のすぐ近くに窓が位置するため、外の景色やカウンター面においた花等を近くで眺めることができる。
【００１２】
また、本発明にかかる浴室の窓カウンターのさらに他の構成上の特徴は、排水路の前記排水溝から流れてきた水が落下する部分に浴槽の巻き蓋を巻いた状態で載置できるように構成したことにある。これによると、排水路の効率的な使用が可能になる。
【００１３】
また、本発明にかかる浴室の窓カウンターのさらに他の構成上の特徴は、排水溝の下流端を、洗い場の上方に位置させ、排水溝に流れた水が洗い場の排水口に流れて行くようにしたことにある。これによると、カウンター面の水は、排水溝から直接洗い場に落ちる。この浴室の洗い場は、頻繁に湯や水が流されるところであるため、特に、清掃作業等をしなくとも、カウンター面からの水は排水口に流れ出て行くため、床面を汚すことがない。
【００１４】
【発明の実施の形態】
以下、本発明の一実施形態を図面を用いて説明する。図１は、本発明の窓カウンター２０を備えた浴室１０を示している。この浴室１０では、窓カウンター２０が設けられた壁面部１１側に浴槽３０が設けられている。そして、浴槽３０の図示における左右の側面は、左壁面１３と右壁面１４とで挟まれている。
【００１５】
窓カウンター２０は、屋外と浴室１０内とを仕切る壁面部１１に、屋外側に突出して設けられている。すなわち、この窓カウンター２０は、屋外に向かって突出した四角枠状の窓縁部２１と、窓縁部２１の外周縁部に設けられたスライド式の窓２２とで構成されており、窓縁部２１の内周面における上面（窓縁部２１の下部を構成する部分の上面）がカウンター面２３になっている。そして、このカウンター面２３には、鉢に植えられた花や観葉植物等（図示せず）を置いて、入浴しながら観賞することができる。
【００１６】
また、カウンター面２３は、図２に示すように構成されており、浴室１０の内部側である前端縁部２４が、窓側部分である後部２５よりも高くなった傾斜面になっている。そして、カウンター面２３における後部２５の縁部と左側部２６の縁部の近傍に、両縁部に沿ったＬ字状の排水溝２７が設けられている。排水溝２７は、カウンター面２３における後部２５の右側部２８側から前端縁部２４の左側部２６側にかけて序々に低くなった下り傾斜に形成されて、下流端が開放された落下口２９になっている。
【００１７】
したがって、窓２２や窓縁部２１等に結露して流れた水滴等や、カウンター面２３に置いた花等に散水して、その鉢から流れ出たりした水は、カウンター面２３の後部２５に流れたのちに、排水溝２７に沿って落下口２９に向かって流れる。そして、落下口２９から下方に落下する。
【００１８】
浴槽３０は、上面中央に湯を溜めるための凹部３１が設けられた箱形に形成されており、この浴槽３０を上方から見た状態を図３に示している。浴槽３０の周縁部の上面３２における左壁面１３側の部分には、窓側の縁部３３と左壁面１３側の縁部３４に沿った排水路３５が形成されている。この排水路３５は、縁部３３，３４の角部に対応する部分が広く形成され、その他の部分は細い溝状に形成されている。排水路３５の広く形成された部分は、落下口２９の下方に位置しており、カウンター面２３から落下してくる水を受けるための受水部３５ａになっている。
【００１９】
そして、排水路３５は、上面３２における縁部３３の中央部分から縁部３４の前端部（図示の手前側）にかけて序々に低くなった下り傾斜に形成され、下流端が開放された落下口３６になっている。したがって、浴室１０内の水滴や、カウンター面２３から落下してくる水は、排水路３５に沿って落下口３６に向かって流れ、落下口３６から下方の洗い場１２に落下する。この排水路３５の受水部３５ａは、浴槽３０の上面を覆うための巻き蓋（図示せず）を巻いた状態で左壁面１３等に立て掛けたりして置くことができるような大きさに設定されている。
【００２０】
また、浴槽３０の手前における右壁面１４に沿った部分には、浴槽３０の上面３２と略等しい高さに設定された洗い場カウンター１５が設けられ、その洗い場カウンター１５と浴槽３０の間には、水栓１６が設けられている。洗い場カウンター１５は、洗面器等を置いて、洗面や体の洗浄をするために使用されるもので、この洗い場カウンター１５にも排水溝１５ａを設けて水や湯が溜まらないようにしている。水栓１６は、蛇口１６ａを備えており、この蛇口１６ａは、浴槽３０と洗い場カウンター１５との間で回動可能になっており、浴槽３０と洗い場カウンター１５との双方に水や湯を供給できる。
【００２１】
そして、右壁面１４における浴槽３０と洗い場カウンター１５の上方には、洗面用具や入浴用具１７を置くための棚１８が取り付けられている。また、壁面部１１における窓カウンター２０と浴槽３０との間には、手摺り１９が取り付けられている。そして、洗い場１２には、浴室１０内で発生する体を洗浄したのちの湯や水、カウンター面２３や浴槽３０の上面３２から洗い場１２に流れてくる水等を、外部に排出するための排水口３８が設けられている。なお、図示していないが、右壁面１４における洗い場カウンター１５の上方には鏡やシャワーが設けられている。
【００２２】
この構成において、入浴者が浴室１０内で体を洗う際には、洗い場１２における洗い場カウンター１５の手前に椅子（図示せず）を置いて腰掛け、水栓１６やシャワーからの湯を使って体を洗う。その際、体の洗浄に使った湯は、洗い場１２に流れ落ちて排水口３８から外部に排出され、洗い場カウンター１５上に流れた湯は、排水溝１５ａから洗い場１２に流れ落ちて排水口３８から外部に排出される。
【００２３】
また、シャワー等の水が飛び散って窓カウンター２０のカウンター面２３に落ちた場合には、カウンター面２３の落下口２９から、浴槽３０の受水部３５ａに落下する。そして、排水路３５を通って落下口３６から洗い場１２に落下して排水口３８から外部に排出される。その際、浴槽３０の上面３２に溜まる水もカウンター面２３から落下してくる水とともに、落下口３６から落下して排水口３８に流れていく。
【００２４】
そして、入浴者が、浴槽３０内に入るときには、窓２２を開けて、外の景色を見ながら湯船につかることができる。また、カウンター面２３に置いた花や観葉植物を見ながら湯船につかることができる。これによって、ゆったりとした快適な気分での入浴が可能になる
【００２５】
また、窓２２や窓縁部２１等に結露して流れた水滴やカウンター面２３の花や観葉植物に散水したときの鉢の水がカウンター面２３に流れ出たりすることがある。この場合も、カウンター面２３上の水は、落下口２９から、浴槽３０の受水部３５ａに落下して、排水路３５および洗い場１２を通って排水口３８から外部に流れていく。このため、カウンター面２３に水が溜まるといったことがなくなる。
【００２６】
このように、本発明にかかる浴室の窓カウンターでは、カウンター面２３が、前端縁部２４が後部２５よりも高くなった傾斜面に形成されているとともに、カウンター面２３の後部２５から落下口２９に続く下り傾斜の排水溝２７が設けられている。したがって、カウンター面２３に流れてきたり落下してきたりした水は、カウンター面２３に溜まることなく、落下口２９から落下していく。この結果、カウンター面２３が泥水や水垢等で汚れたりすることがなくなる。
【００２７】
また、カウンター面２３から落下する水を受ける受水部３５ａは、巻き蓋を巻いた状態で置けるような大きさに設定されているため、排水路３５の効率的な使用が可能になる。
【００２８】
また、本発明による浴室の窓カウンターは、前述した実施形態以外についても技術的範囲内で適宜変更実施が可能である。例えば、前述した実施形態では、窓カウンター２０と浴槽３０とを隣接させるようにして設けているが、窓カウンター２０を浴槽３０から離れた部分に設け、カウンター面２３から直接洗い場１２に水が落下するようにしてもよい。
【００２９】
また、壁面部１１における落下口２９と受水部３５ａとの間に、落下する水をガイドするための溝を設けたり、他のガイド部材を設けたりすることもできる。これによると、水が勢いよく受水部３５ａに落下して浴槽３０内に入ったりすることを防止して確実に排水路３５に送ることができる。
【００３０】
さらに、前述した実施形態では、カウンター面２３を、前端縁部２４から後部２５にかけて下り傾斜になった傾斜面に形成しているが、落下口２９が最も低位置になるようにして、カウンター面全体を曲面状の傾斜面に形成することもできる。また、窓カウンター自体を傾斜させて設け落下口に続く排水溝だけを設けてもよい。この場合でも、傾斜角度は、花等を置ける程度の小さな角度にしておく。また、前述した実施形態では窓カウンターについて説明しているが、本発明の窓には出窓も含まれる。
【図面の簡単な説明】
【図１】本発明の一実施形態による窓カウンターを備えた浴室の内部を示す斜視図である。
【図２】カウンター面を示す斜視図である。
【図３】浴槽の上面を示す斜視図である。
【符号の説明】
１０…浴室、１１…壁面部、１２…床面、２０…窓カウンター、２２…窓、２３…カウンター面、２４…前端縁部、２５…後部、２７…排水溝、２９，３６…落下口、３０…浴槽、３２…上面、３５…排水路、３５ａ…受水部、３８…排水口。
【図１】
2004156323.tif 000003
【図２】
2004156323.tif 000004
【図３】
2004156323.tif 000005